(57)【要約】      （修正有）【課題】複数の実装設備で行うデータダウンロードに要する時間を短縮することができる実装装置を提供する。【解決手段】実装装置１は、実装設備２〜６と、実装設備２〜６にダウンロードされるデータを格納する実装データベース１５と、データのダウンロード処理を行うダウンロード制御部１９と、実装設備２〜６の設備状態に基づいて実装設備２〜６のダウンロードの実行可能性に関するステータスを確認するダウンロードステータス確認・変更部２１と、実装設備２〜６のダウンロードステータスを記憶するダウンロードステータス記憶部２０と、ダウンロード制御部１９にデータのダウンロードを開始する旨の指令を出すダウンロード指示部１７を備え、ダウンロード制御部１９が、ダウンロードステータス記憶部２０に記憶されているダウンロードステータスに基づいて、ダウンロードを実行するかしないかの判断処理を行う。【選択図】図２
2010258191.tif 000002
【特許請求の範囲】
【請求項１】
複数の実装設備と、前記複数の実装設備にダウンロードされるデータを格納するデータ格納部と、前記データ格納部に格納されているデータのダウンロード処理を行うダウンロード制御部と、前記複数の実装設備の設備状態に基づいて各実装設備のダウンロードの実行可能性に関するステータスを確認するダウンロードステータス確認部と、前記ダウンロードステータス確認部によって確認された各実装設備のダウンロードステータスを記憶するダウンロードステータス記憶部と、前記ダウンロード制御部にデータのダウンロードを開始する旨の指令を出すダウンロード指示部を備え、
前記ダウンロード制御部が、前記ダウンロード指示部から前記指令を受けたときに、前記ダウンロードステータス記憶部に記憶されている各実装設備のダウンロードステータスに基づいて、ダウンロードを実行するかしないかの判断処理を行うことを特徴とする実装装置。
【請求項２】
前記ダウンロードステータス記憶部に記憶されているダウンロードの実行が不可能である旨のステータスについて、ダウンロードが可能となった時点でダウンロードを実行する旨のステータスに変更するダウンロードステータス変更部をさらに備えたことを特徴とする請求項１に記載の実装装置。
【請求項３】
請求項２に記載の実装装置におけるデータダウンロード方法であって、前記複数の実装設備の全てにデータのダウンロードを開始する旨の指令を出す工程と、前記ダウンロードステータス記憶部に記憶されているダウンロードステータスに基づいて各実装設備のダウンロード処理を行う工程と、前記ダウンロードステータス記憶部に記憶されているダウンロードの実行が不可能である旨のステータスについて、ダウンロードが可能となった時点でダウンロードを実行する旨のステータスに変更する工程と、ダウンロードステータスが変更された実装設備についてダウンロードが可能となった時点でダウンロードを実行する工程を含むことを特徴とするデータダウンロード方法。
【発明の詳細な説明】
【技術分野】
【０００１】
本発明は、基板に電子部品の実装などの加工を施す複数の実装設備を備えた実装装置および複数の実装設備における実装動作制御に用いるデータのダウンロード方法に関するものである。
【背景技術】
【０００２】
１台の電子部品実装装置に複数の実装設備を設け、基板を複数の実装設備を順次通過させ、各実装設備で所定の電子部品のみを実装するようにしたことで基板１枚あたりのタクトタイムを短縮することができる電子部品実装装置が存在する。このような電子部品実装装置は多種類の基板を扱うことができるようになっていることが多く、扱う基板の品種などを変更する機種切替時には、各実装設備における実装動作制御に用いるプログラムなどのデータを新たな基板の品種に対応したものに書き換える作業が必要になっている（特許文献１参照）。
【先行技術文献】
【特許文献】
【０００３】
【特許文献１】特開２０００−３１６９４号公報
【発明の概要】
【発明が解決しようとする課題】
【０００４】
このような電子部品実装装置では、各実装設備において実装作業中のデータダウンロードはできないので、機種切替前の最終の基板が最後の実装設備を通過した後にデータダウンロード作業を開始することが一般的ではあるが、既に基板が通過した実装設備についてはダウンロード開始までの間に空き時間が生じることになっていた。この空き時間をできるだけ少なくすれば、機種切替に要する時間を短縮することができ、実装生産性の向上につなげることができる。
【０００５】
そこで本発明は、複数の実装設備で行うデータダウンロードに要する時間を短縮することができる実装装置およびデータダウンロード方法を提供することを目的とする。
【課題を解決するための手段】
【０００６】
請求項１に記載の実装装置は、複数の実装設備と、前記複数の実装設備にダウンロードされるデータを格納するデータ格納部と、前記データ格納部に格納されているデータのダウンロード処理を行うダウンロード制御部と、前記複数の実装設備の設備状態に基づいて各実装設備のダウンロードの実行可能性に関するステータスを確認するダウンロードステータス確認部と、前記ダウンロードステータス確認部によって確認された各実装設備のダウンロードステータスを記憶するダウンロードステータス記憶部と、前記ダウンロード制御部にデータのダウンロードを開始する旨の指令を出すダウンロード指示部を備え、前記ダウンロード制御部が、前記ダウンロード指示部から前記指令を受けたときに、前記ダウンロードステータス記憶部に記憶されている各実装設備のダウンロードステータスに基づいて、ダウンロードを実行するかしないかの判断処理を行う。
【０００７】
請求項２に記載の実装装置は、請求項１に記載の実装装置であって、前記ダウンロードステータス記憶部に記憶されているダウンロードの実行が不可能である旨のステータスについて、ダウンロードが可能となった時点でダウンロードを実行する旨のステータスに変更するダウンロードステータス変更部をさらに備えた。
【０００８】
請求項３に記載のデータダウンロード方法は、請求項２に記載の実装装置におけるデータダウンロード方法であって、前記複数の実装設備の全てにデータのダウンロードを開始する旨の指令を出す工程と、前記ダウンロードステータス記憶部に記憶されているダウンロードステータスに基づいて各実装設備のダウンロード処理を行う工程と、前記ダウンロードステータス記憶部に記憶されているダウンロードの実行が不可能である旨のステータスについて、ダウンロードが可能となった時点でダウンロードを実行する旨のステータスに変更する工程と、ダウンロードステータスが変更された実装設備についてダウンロードが可能となった時点でダウンロードを実行する工程を含む。
【発明の効果】
【０００９】
本発明のデータダウンロード方法によれば、ダウンロードが不可能な設備様態にある実装設備については、ダウンロードの実行が可能となった時点で自動的にダウンロードが実行されるので、複数の実装設備に対して一回ダウンロード開始指令を送るだけで全ての実装設備に待ち時間を生じさせることなくデータダウンロードを実行させることができる。
【図面の簡単な説明】
【００１０】
【図１】本発明の実施の形態の電子部品実装装置の概略構成図
【図２】本発明の実施の形態の電子部品実装装置の制御構成図
【図３】本発明の実施の形態の電子部品実装装置におけるデータダウンロード処理のフローチャート
【発明を実施するための形態】
【００１１】
最初に本発明の実施の形態の電子部品実装装置について図１、図２を参照して説明する。図１において電子部品実装装置１は、直列に配置された複数の実装設備２〜６を用いて基板７を搬送し、搬送の過程で基板７に電子部品８を実装する装置である。搬送元側に配置された実装設備２に搬入（矢印Ａ）された基板７は、実装設備３〜５を経由し、搬送先側に配置された実装設備６から搬出（矢印Ｂ）される。実装設備２は基板７の予め割り当てられた箇所に電子部品８を実装し、実装後の基板７を実装設備３に搬送する。実装設備３も同様に基板７の予め割り当てられた箇所に電子部品８を実装し、実装後の基板７を実装設備４に搬送する。実装設備４〜６についても同様である。
【００１２】
このように電子部品実装装置１は、一枚の基板に対し実装設備２〜６毎に予め電子部品８の実装箇所を割り当てておき、基板７を各実装設備２〜６に順に搬送することで、基板７の全ての実装箇所への電子部品８の実装が完了するように構成されている。電子部品実装装置１の動作制御を司る管理コンピュータ９は各実装設備２〜６と相互通信可能に接続されている。
【００１３】
図２において各実装設備２〜６にはそれぞれ記憶部１０と制御部１１が備えられている。各実装設備２〜６は同一の構成であるので代表として実装設備２のみを詳細に図示している。各実装設備２〜６の動作制御はそれぞれの制御部１１に備えられた機構制御部１２によって行われる。機構制御部１２の制御プログラムとなるデータは各記憶部１０に備えられた実装プログラム記憶部１３に記憶されている。これらのデータは予め管理コンピュータ９の記憶部１４に実装データベース１５として格納されており、必要に応じてダウンロードされ、各実装プログラム記憶部１３に記憶される。
【００１４】
管理コンピュータ９の制御部１６にはダウンロード指示部１７が備わっている。ダウンロード指示部１７はオペレータが入力部１８から入力した一括ダウンロード開始指令に基づいて各実装設備２〜６にダウンロード開始指示を発信する。各実装設備２〜６の制御部１１にはダウンロード制御部１９が備わっており、ダウンロード制御部１９はダウンロードステータス記憶部２０に記憶されているダウンロードステータス情報に基づいてダウン
ロード処理を行う。
【００１５】
各実装設備２〜６の記憶部１０にはそれぞれダウンロードステータス記憶部２０が備わっている。ダウンロードステータスとは、各実装設備２〜６のダウンロードに関する設備状態（ステータス）のことであり、ダウンロードの実行が可能な「可能」、ダウンロードの実行が不可能な「不可」、ダウンロードの実行が可能になった時点でダウンロードを実行する「予約」の３つのダウンロードステータスがある。
【００１６】
各実装設備２〜６の制御部１１にはそれぞれダウンロードステータス確認・変更部２１が備わっている。ダウンロードステータス確認・変更部２１は各実装設備２〜６のダウンロードステータスが、「可能」もしくは「不可」の何れであるのかを確認する。ダウンロードステータス確認・変更部２１が確認したダウンロードステータスはダウンロードステータス記憶部２０に記憶される。またダウンロードステータス確認・変更部２１は、ダウンロード指示部１７からダウンロード開始指令を受けたときに、ダウンロードステータスが「不可」となっている場合は、「予約」に変更するとともに、ダウンロードステータスの継続的な確認作業を開始する。
【００１７】
次に電子部品実装装置１のダウンロード処理方法について図３を参照して説明する。基板７の品種が切り替わる機種切替時などにオペレータが入力部１８に一括データダウンロード指令を入力する（ＳＴ１）。ダウンロード指示部１７は、入力部１８に入力された一括データダウンロード指令を受け、各実装設備２〜６にデータダウンロード指令を送信する（ＳＴ２）。データダウンロード指令を受けた実装設備のうちダウンロードステータス記憶部２０に記憶されているダウンロードステータスが「可能」である実装設備については即時にデータダウンロードを開始する（ＳＴ３）。
【００１８】
ダウンロードステータスが「不可」の実装設備については、ダウンロードステータス確認・変更部２１がダウンロードステータス記憶部２０に記憶されているダウンロードステータスを「予約」に変更する（ＳＴ４）。その後、ダウンロードステータス確認・変更部２１はダウンロードステータスの継続的な確認作業を開始し、ダウンロードステータスが「可能」な状況になった時点で当該実装設備についてデータダウンロードを開始する（ＳＴ５）。
【００１９】
電子部品実装装置１において各実装設備２〜６のダウンロードステータスが「不可」となるのは、各実装設備２〜６が機種切替前の基板７に対して電子部品８の実装を完了していない設備状態にあるときやメンテナンス作業中の状態にあるときなどである。各実装設備２〜６がこのような状態、すなわちダウンロードステータスが「不可」の状態にあるときに管理コンピュータ９からデータダウンロード指令を受けると、各実装設備２〜６はダウンロードが実行できないことを管理コンピュータ９に知らせるためエラー信号を送信していた。そのため、ダウンロードエラーとなった実装設備についてはダウンロードが実行されるまで何回もデータダウンロード指令を送り続けなければならなかった。
【００２０】
電子部品実装装置１は、管理コンピュータ９からデータダウンロード指令を受けた実装設備のうちダウンロードステータス記憶部２０に記憶されているダウンロードステータスが「不可」である実装設備については、ダウンロードステータスを「予約」に変更し、エラー信号の送信は行わない。そしてダウンロードステータスが「予約」となった実装設備についてはダウンロードステータスが「可能」となった時点でダウンロードを自動的に実行するように構成されている。
【００２１】
従って、メンテナンス作業中の実装設備は、メンテナンスが終了した時点でダウンロードステータスが「予約」から「可能」に変更になるので、その時点でデータダウンロード
が自動的に開始される。また、機種切替前の最後の基板７に対して電子部品８の実装を完了した実装設備はその時点でダウンロードステータスが「可能」に変更になるので、基板７の搬送に伴って各実装設備２〜６でデータダウンロードが順次開始される。
【産業上の利用可能性】
【００２２】
本発明のデータダウンロード方法によれば、ダウンロードが不可能な設備様態にある実装設備については、ダウンロードの実行が可能となった時点で自動的にダウンロードが実行されるので、複数の実装設備に対して一回ダウンロード開始指令を送るだけで全ての実装設備に待ち時間を生じさせることなくデータダウンロードを実行させることができるという利点を有し、複数の実装設備を用いて基板に電子部品の実装を行う分野等において有用である。
【符号の説明】
【００２３】
１  電子部品実装装置
２〜６  実装設備
１５  実装データベース
１７  ダウンロード指示部
１９  ダウンロード制御部
２０  ダウンロードステータス記憶部
２１  ダウンロードステータス確認・変更部
【図１】
2010258191.tif 000003
【図２】
2010258191.tif 000004
【図３】
2010258191.tif 000005